(57)【要約】      （修正有）【課題】音付きチャックストリップ及びスライダーを取り付けた音付きチャックストリップを提供する。【解決手段】音付きチャックストリップと、スライダーを含み、前記スライダーは第１の側板２−１、第２の側板２−２、及び第１の側板２−１と第２の側板２−２に接続される接続板３を含み、接続板３に開口板７が設置され、開口板７は第１の側板２−１と第２の側板２−２の間に位置し、そのうち前記第１の側板２−１と第２の側板２−２に対向するガイド部が設置され、前記ガイド部はガイド部Ｉ４とガイド部ＩＩ５に分けられ、ガイド部Ｉ４は開口板７の側に位置し、ガイド部ＩＩ５は反対側に位置し、且つガイド部ＩＩ５が位置される第１の側板２−１と第２の側板２−２の板壁に支持板８が設置され、嵌め込み押し部６は接続板３と、第１の側板２−１又は第２の側板２−２と、支持板８とで形成される角部に設置される。【選択図】図５
0003225029.tif 000002
【実用新案登録請求の範囲】
【請求項１】
チャック本体（１０）を備えた音付きチャックストリップであって、
前記チャック本体（１０）は対向に設置されるメス部（１０−１）とオス部（１０−２）を含み、前記オス部（１０−２）の反対面の長手方向に沿って複数の楔状溝（１０−２−１）が設置され、前記楔状溝（１０−２−１）の一端に直角面（１０−２−２）を形成することを特徴とする音付きチャックストリップ。
【請求項２】
スライダーを取付けた音付きチャックストリップであって、
請求項１に記載の音付きチャックストリップと、スライダー（１）を含み、
前記スライダー（１）は第１の側板（２−１）、第２の側板（２−２）、及び第１の側板（２−１）と第２の側板（２−２）に接続される接続板（３）を含み、接続板（３）に開口板（７）が設置され、開口板（７）は第１の側板（２−１）と第２の側板（２−２）の間に位置し、そのうち前記第１の側板（２−１）と第２の側板（２−２）に対向するガイド部が設置され、前記ガイド部はガイド部I（４）とガイド部II（５）に分けられ、ガイド部I（４）は開口板（７）の側に位置し、ガイド部II（５）は反対側に位置し、且つガイド部II（５）が位置される第１の側板（２−１）と第２の側板（２−２）の板壁に支持板（８）が設置され、嵌め込み押し部（６）は接続板（３）と、第１の側板（２−１）又は第２の側板（２−２）と、支持板（８）とで形成される角部に設置されることを特徴とする音付きチャックストリップ。
【請求項３】
前記楔状溝（１０−２−１）の直角面（１０−２−２）は開口板（７）に近い一側に設置されることを特徴とする請求項２に記載のスライダーを取り付けた音付きチャックストリップ。
【請求項４】
前記ガイド部にガイド部斜面を有し、２つのガイド部I（４）のガイド部傾斜面の間，および２つのガイド部II（５）のガイド部傾斜面の間に１つの拡口部を形成し、拡口部の大開口端は開口板（７）の側に位置することを特徴とする請求項２に記載のスライダーを取り付けた音付きチャックストリップ。
【請求項５】
前記ガイド部の周縁部は丸角構造であることを特徴とする請求項４に記載のスライダーを取り付けた音付きチャックストリップ。
【請求項６】
前記嵌め込み押し部（６）は楔状部であることを特徴とする請求項５に記載のスライダーを取り付けた音付きチャックストリップ。
【請求項７】
前記嵌め込み押し部（６）の厚さは支持板（８）の厚さより大きいことを特徴とする請求項２から６のいずれか１項に記載のスライダーを取り付けた音付きチャックストリップ。
【請求項８】
前記接続板（３）は門字型構造であることを特徴とする請求項７に記載のスライダーを取り付けた音付きチャックストリップ。
【請求項９】
前記第１の側板（２−１）と第２の側板（２−２）の外側面に複数の波状凸起（突起）が設けられ、前記第１の側板（２−１）の幅は第２の側板（２−２）の幅に等しいかそれより大きいことを特徴とする請求項２に記載のスライダーを取り付けた音付きチャックストリップ。
【考案の詳細な説明】
【技術分野】
【０００１】
本考案は収納容器技術分野に関し、具体的に音付きチャックストリップ及びスライダーを取り付けた音付きチャックストリップに関する。
【背景技術】
【０００２】
現在、使用しているチャック付き袋の口は凹部と凸部の嵌合式密閉構造を採用し、凹部と凸部を外力で嵌合させる瞬間に、凸部を凹部に嵌める時に音がするが、凹部と凸部が結合した後、外力でチャック方向に沿って移動しながらチャックを閉鎖する時、凹部と凸部の接触面が滑らかであるため、凹部と凸部から音がせず、チャック付き袋の閉鎖を確認しにくくなる。また、手でチャック付き袋を閉める時に、手で不均一な力が加えられることから、チャック付き袋をしっかりと閉められない可能性がさらに高まる。
【考案の概要】
【考案が解決しようとする課題】
【０００３】
本考案はチャックから音がする位置を明確にしながら、同時にチャック付き袋をより容易に操作することを目的とし、音付きチャックストリップ及びスライダーを取り付けた音付きチャックストリップを提供する。
【課題を解決するための手段】
【０００４】
本考案は上記の技術的問題を解決するための技術的解決手段はチャック本体を備えた音付きチャックストリップを提供することであり、そのうち前記チャック本体は対向に設置されるメス部とオス部を含み、前記オス部の反対面の長手方向に沿って複数の楔状溝を設置し、前記楔状溝の一端に直角面を形成する。
【０００５】
本考案の好適な効果は、本考案ではオス部に複数の楔状溝を設置ことで、チャックを閉める時に、楔状溝構造によりオス部とメス部の間に断続的な音がしながら、異なる大きさの、断続的な反力を人に与えることにより、ユーザーが音と触感でチャックの開閉状態を判断できることである。
【０００６】
上記の技術的解決手段の上で、本考案は使用の利便性及び設備の安定性のため、上記の技術的解決手段を次のように改善することができる。
【０００７】
さらに、スライダーを取付けた音付きチャックストリップは音付きチャックストリップとスライダーを含み、前記スライダーは第１の側板、第２の側板、及び第１の側板と第２の側板に接続される接続板を含み、接続板に開口板が設置され、開口板は第１の側板と第２の側板の間に位置し、そのうち前記第１の側板と第２の側板に対向するガイド部が設置され、前記ガイド部はガイド部Iとガイド部IIに分けられ、ガイド部Iは開口板の側に位置し、ガイド部IIは反対側に位置し、且つガイド部IIが位置される第１の側板と第２の側板の板壁に支持板が設置され、嵌め込み押し部は接続板と、第１の側板又は第２の側板と、支持板とで形成される角部に設置される。嵌め込み押し部の設置によりチャックの嵌合が簡単になり、チャックをしっかりと閉めることを確保する。また支持板の設置により、ガイド部IIの構造強度を上げて、変形を回避することができる。さらに、当該スライダーをチャックに取付けることにより、チャックの開閉が便利になり、また指がチャックを押してチャックから音がする位置を明確に判断できないという問題を回避する。
【０００８】
前記楔状溝の直角面は開口板に近い一側に設置される。楔状溝の直角面を開口板の側に設置することで、チャックを開ける時の音が小さく、閉める時の音が大きく、音の大きさでチャックの開閉を判断することができる。
【０００９】
さらに、前記ガイド部はガイド部斜面を有し、２つのガイド部Iのガイド部傾斜面の間、および２つのガイド部IIのガイド部傾斜面の間に１つの拡口部を形成し、拡口部の大開口端は開口板の側に位置する。大口端を開口板の側に設置すると、開口板がチャックを開ける力を弱め、スライダーを容易に引っ張る一方、開口板がチャックを開ける時の音がチャックを閉める時の音より大きくなり、音の大きさでチャックの開閉を判断することができる。
【００１０】
さらに、前記ガイド部の周縁部は丸角構造である。丸角構造の設置によって、スライダーを取り付けた密閉袋を傷付けることを避けることができる。
【００１１】
さらに、前記嵌め込み押し部は楔状部である。楔状部底部の支持面は大きくなると、嵌め込み押し部の強度を高めることができる。
【００１２】
さらに、前記嵌め込み押し部の厚さは支持板の厚さより大きい。嵌め込み押し部の厚さが支持板の厚さより大きくすると、嵌め込み押し部とチャックの接触面積を減らすため、チャックの単位面積に作用する力を増やし、チャックを容易に閉める。
【００１３】
さらに、前記接続板は門字型構造である。門字型構造の接続板により、スライダーをチャックに簡単に取り付け、操作しやすく、構造がシンプルである。
【００１４】
さらに、前記第１の側板と第２の側板の外側面に複数の波状凸起（突起）が設けられ、前記第１の側板の幅は第２の側板の幅に等しいかそれにより大きい。複数の波状凸起（突起）の設置により、手とスライダーの摩擦力を高め、手で力を加える時にスライダーが滑ることを避ける。親指が接触する側板の面積を増やすと、スライダーを把持することとスライダーを手で引っ張る際に便宜を与える。
【考案の効果】
【００１５】
上記の更なる技術的解決手段を使用する時の有益な効果は、ガイド部によって形成される大口端を開口板の側に設置し、開口板がチャックを開ける力を弱めることで、スライダーを簡単に引っ張ること、楔状溝の直角面を開口板の側に設置し、チャックを開ける時の音が小さくなり、閉める時の音が大きくなるため、音の大きさでチャックの開閉を判断すること、嵌め込み押し部の厚さが支持板の厚さより大きくすると、嵌め込み押し部とチャックの接触面積を減らすため、チャックの単位面積に作用する力を増やし、チャックを容易に閉めること、複数の波状凸起の設置により、手とスライダーの摩擦力を高め、手で力を加える時にスライダーが滑ることを避けることである。
【図面の簡単な説明】
【００１６】
【図１】本考案に係る音付きチャックストリップの構造を示す図である。
【図２】本考案に係るスライダーを取り付けた音付きチャックストリップを示す図である。
【図３】図２の上面図である。
【図４】本考案に係るチャック用スライダーを使用する時の模式図である。
【図５】本考案に係るチャック用スライダーの構造を示す立体図である。
【図６】本考案に係るスライダーを音チャック付き袋に取付ける時の構造を示す図である。
【考案を実施するための形態】
【００１７】
以下、図面に従って本考案の原理と特徴を説明し、挙げられる実施形態は本考案を解釈することに過ぎず、本考案の範囲を限定するものではない。
【００１８】
（実施形態１）
図１に示すように、音付きチャックストリップはチャック本体（１０）を含み、前記チャック本体（１０）は対向に設置されるメス部（１０−１）とオス部（１０−２）を含み、前記オス部（１０−２）の反対面の長手方向に沿って複数の楔状溝（１０−２−１）を設置し、前記楔状溝（１０−２−１）の一端に直角面（１０−２−２）を形成する。
【００１９】
（実施形態２）
図２〜図５に示すように、スライダーを取付けた音付きチャックストリップは音付きチャックストリップとスライダー（１）を含み、前記スライダー（１）は第１の側板（２−１）、第２の側板（２−２）、及び第１の側板（２−１）と第２の側板（２−２）に接続される接続板（３）を含み、接続板（３）に開口板（７）が設置され、開口板（７）は第１の側板（２−１）と第２の側板（２−２）の間に位置し、前記第１の側板（２−１）と第２の側板（２−２）に対向するガイド部が設置され、前記ガイド部はガイド部I（４）とガイド部II（５）に分けられ、ガイド部I（４）は開口板（７）の側に位置し、ガイド部II（５）は反対側に位置し、且つガイド部II（５）が位置される第１の側板（２−１）と第２の側板（２−２）の板壁に支持板（８）が設置され、嵌め込み押し部（６）は接続板（３）と、第１の側板（２−１）又は第２の側板（２−２）と、支持板（８）とで形成される角部に設置される。
【００２０】
前記楔状溝（１０−２−１）の直角面（１０−２−２）は開口板（７）に近い一側に設置される。
【００２１】
前記ガイド部はガイド部斜面を有し、２つのガイド部I（４）のガイド部傾斜面の間、および２つのガイド部II（５）のガイド部傾斜面の間に１つの拡口部を形成し、拡口部の大開口端は開口板（７）の側に位置する。
【００２２】
前記ガイド部の周縁部は丸角構造である。
【００２３】
前記嵌め込み押し部（６）は楔状部である。
【００２４】
前記嵌め込み押し部（６）の厚さは支持板（８）の厚さより大きい。
【００２５】
前記接続板（３）は門字型構造である。
【００２６】
前記第１の側板（２−１）と第２の側板（２−２）の外側面に複数の波状凸起が設けられ、前記第１の側板（２−１）の幅は第２の側板（２−２）の幅に等しいかそれにより大きい。
【００２７】
（実施形態３）
図６に示すように、音チャック付き袋では、チャック付き袋は袋体（９）及び袋体開口に位置する少なくとも２つの平行のチャック本体（１０）を含み、スライダー（１）はチャック本体（１０）に取り付けられる。音付きチャックはチャック付き袋を熱圧着技術で袋体に貼付けるか、又は音付きチャックと袋体を一体成形の技術で融合する。
【００２８】
以上、本考案の好適な実施形態に過ぎず、本考案を限定するものではない。本考案の精神と原則を逸脱しない範囲において行われる修正、均等置換、改良などはすべて、本考案の保護範囲に含まれる。
【符号の説明】
【００２９】
１            スライダー
２−１        第１の側板
２−２        第２の側板
３            接続板
４            ガイド部I
５            ガイド部II
６            嵌め込み押し部
７            開口板
８            支持板
９            袋体
１０          チャック本体
１０−１      メス部
１０−２      オス部
１０−２−１  溝
１０−２−２  直角面
【図１】
0003225029.tif 000003
【図２】
0003225029.tif 000004
【図３】
0003225029.tif 000005
【図４】
0003225029.tif 000006
【図５】
0003225029.tif 000007
【図６】
0003225029.tif 000008